(57)【要約】【課題】包括的二次元ＧＣ／ＭＳ分析において多数の含有成分の定量分析を高感度で行えるようにＳＩＭ測定条件を自動的且つ的確に決定し、さらにオペレータによる条件の修正も容易にする。【解決手段】測定条件決定部２４は、化合物毎に保持時間と測定対象m/zが収録された化合物テーブル２６から必要なデータを読み込み、各カラム１２、１４の分離特性、モジュレータ１３の動作条件等に基づいて予め与えられた条件に従って、保持時間を一次カラム１２の保持時間と二次カラム１４の保持時間とに割り当て、二次元検出時間テーブル２５を作成する。そして、このテーブル２５を用い、スキャン測定等により得られた二次元等高線クロマトグラムのデータに対し、時間軸毎にピークを分離可能な境界線を定め、ＳＩＭ測定区間を決定する。この測定区間を二次元クロマトグラム上に表示し、グラフィカルに変更可能とする。【選択図】  図１
2011122822.tif 000002
【特許請求の範囲】
【請求項１】
一次カラム、モジュレータ、及び二次カラムを具備する包括的二次元クロマトグラフで分離された試料を質量分析装置に導入して検出するクロマトグラフ質量分析装置であって、質量分析装置において選択イオンモニタリング（ＳＩＭ）法により特定の質量電荷比を有するイオンの検出を行うクロマトグラフ質量分析装置において、
a)測定対象の化合物毎に保持時間と質量電荷比とが対応付けて記憶された化合物情報記憶部と、
b)１つのモジュレーション期間における分離情報に基づいて、前記化合物情報記憶部に記憶されている保持時間を一次カラムの時間軸上の保持時間と二次カラムの時間軸上の保持時間とに割り当てた検出情報を作成し、分析により得られた二次元クロマトグラムに対して前記検出情報を用い所定の条件に基づいて各時間軸上でそれぞれＳＩＭ測定区間を決定する測定区間決定処理部と、
c)該測定区間決定処理部で決定された各時間軸上のＳＩＭ測定区間に基づいて、時間経過に伴うＳＩＭ測定グループの開始時間及び／又は終了時間と該グループに属する化合物に対応した測定対象の質量電荷比とを含むＳＩＭ測定条件情報を作成するＳＩＭ測定条件設定部と、
を備えることを特徴とするクロマトグラフ質量分析装置。
【請求項２】
請求項１に記載のクロマトグラフ質量分析装置であって、
分析により得られたデータから二次元クロマトグラムを作成して表示部の画面上に表示する二次元クロマトグラム作成処理部を備え、該二次元クロマトグラム作成処理部は、前記測定区間決定処理部により決定されたＳＩＭ測定区間の区画を前記二次元クロマトグラム上で識別可能に表示することを特徴とするクロマトグラフ質量分析装置。
【請求項３】
請求項２に記載のクロマトグラフ質量分析装置であって、
前記二次元クロマトグラム作成処理部により表示部に表示される二次元クロマトグラム上のＳＩＭ測定区間の区画を示す境界線の位置及び形状をオペレータが変更するための操作部をさらに備え、前記測定区間決定処理部は前記操作部の操作に応じてＳＩＭ測定条件テーブルを内容を変更することを特徴とするクロマトグラフ質量分析装置。
【発明の詳細な説明】
【技術分野】
【０００１】
本発明は、ガスクロマトグラフ（ＧＣ）の検出器として質量分析装置（ＭＳ）を用いたガスクロマトグラフ質量分析装置（ＧＣ／ＭＳ）等のクロマトグラフ質量分析装置に関し、さらに詳しくは、クロマトグラフとして包括的二次元クロマトグラフを利用したクロマトグラフ質量分析装置に関する。
【背景技術】
【０００２】
ガスクロマトグラフの手法の１つとして、包括的（Comprehensive）二次元ガスクロマトグラフ（「ＧＣ×ＧＣ」等と呼ばれることもある）という手法が知られている（特許文献１、２、非特許文献１参照）。包括的二次元ＧＣは、試料中の各種成分を一次元目のカラム（以下「一次カラム」という）でまず分離し、その溶出成分をモジュレータに導入する。モジュレータは一定時間間隔（数秒程度）毎に導入された成分を捕集した後にごく狭い時間バンド幅で離脱させ、二次元目のカラム（以下「二次カラム」という）に導入するという操作を繰り返す。通常、二次カラムは一次カラムとは極性が異なり、一次カラムで十分に分離されなかった複数の成分を高速で分離可能なものが用いられる。これにより、包括的二次元ＧＣでは、一次カラムで分離されずにピークが重なった試料成分を二次カラムで分離することができ、通常のＧＣに比べて分離性能が大幅に向上する。このため、保持時間が近い成分を多数含むような試料の分析、例えばディーゼル燃料の炭化水素分析などに非常に威力を発揮する。
【０００３】
包括的二次元ＧＣでは、複数の検出器を用いるマルチディメンジョナル（ＭＤ）ＧＣとは異なり、１個の検出器から時間経過に伴って検出信号が得られる。極性の相違する二本のカラムそれぞれでの分離状態を分かり易くするために、通常、上記検出信号に基づいて、一次カラムにおける保持時間と二次カラムにおける保持時間とをそれぞれ軸とし信号強度を等高線で表した二次元クロマトグラムや、信号強度も軸とした三次元クロマトグラムが作成される。こうしたクロマトグラムを作成するためのデータ処理用のソフトウエアとしては、米国ゾエックス（ZOEX）社が提供しているGC Image（非特許文献２参照）がよく知られている。
【０００４】
図５（ａ）は、横軸に一次カラムの保持時間、縦軸に二次カラムの保持時間をとった二次元等高線クロマトグラムの一例である。昇温分析の場合、横軸は沸点順を表し、縦軸は極性順を表しており、各化合物の性質の理解が容易であるとともに、多数の化合物が含まれる場合でもどのような化合物が含まれているのかが容易に把握可能となっている。
【０００５】
前述したように包括的二次元ＧＣでは、二次カラムにおいて試料成分の分離を数秒程度という短時間で繰り返し実行するため、各試料成分がカラム出口から溶出している時間幅はかなり短い。そのため、包括的二次元ＧＣの検出器として質量分析装置を用いた包括的二次元ＧＣ／ＭＳでは、質量分析装置において試料成分を見逃さないように、短いインターバルでの繰り返し測定が必要になる。一般に、所定の質量範囲の走査を繰り返しながら測定を行うスキャン測定では、測定インターバルを短くすると検出感度が低下する。このため、定性分析であればスキャン測定でも構わないが、定量分析、特に信号強度の低い、つまり含有量が少ない（又は含有量が多くてもイオン化されにくい）成分の定量分析を行うには、スキャン測定ではなくＳＩＭ（選択イオンモニタリング）測定を行う必要がある。
【０００６】
ＳＩＭ測定は指定された時間範囲において１乃至複数の特定の質量電荷比（m/z値）のイオンのみを選択的に検出する手法であり、時間範囲とその時間範囲において測定する質量電荷比とをＳＩＭ測定条件として予め設定しておかなければならない。従来の一般的なＧＣ／ＭＳでは、特許文献３に開示されているように、既知化合物の保持時間と対応する質量電荷比とが記述された化合物テーブルから自動的にＳＩＭ測定条件テーブルを作成することが可能となっている。また、自動的に作成されたＳＩＭ測定条件テーブルの内容の修正・変更をオペレータが容易に行えるような配慮もなされている。
【０００７】
しかしながら、包括的二次元ＧＣ／ＭＳにおいてＳＩＭ測定条件テーブルを作成する場合には次のような問題がある。即ち、包括的二次元ＧＣでは数秒程度の時間間隔でモジュレーションをかけるため、１つの化合物は複数本のピークに分かれて検出されることになる。しかも、一次カラムで十分に分離されなかった（つまりピークが重なっている）複数の成分に由来する鋭いピークが１つのモジュレーション期間中に混在して現れる。このため、質量分析装置で得られた検出信号を質量電荷比を問わずに時間経過に伴って一次元的に並べたクロマトグラム（トータルイオンクロマトグラム）は非常に複雑になり、こうした状態のクロマトグラムに対し、上記のような従来の、化合物テーブルからＳＩＭ測定条件テーブルを作成する手法をそのまま適用することはできない。
【０００８】
そこで従来は、図５（ａ）に示したような二次元クロマトグラムの横軸（一次カラムの時間軸）を横軸とした図５（ｂ）に示すような一次元クロマトグラムを求め、このクロマトグラムに対して化合物テーブルに基づく処理を実行してＳＩＭ測定条件を決めるようにしている。こうした処理により、複数の成分は図５（ａ）上部に示したような複数のＳＩＭ測定グループ（この例では［１］〜［６］）に区分される。また、それに対応して作成されるＳＩＭ測定条件テーブルは図６に示すようになる。
【０００９】
その結果、一次カラムで十分に分離されない成分は同じ測定時間範囲にグループ化されることになる。もともと包括的二次元ＧＣ／ＭＳで分析される試料に含まれる成分の数は非常に多く保持時間が近いため、上記のようなグループ化では１つのＳＩＭ測定グループに入る成分数が多くなることがある。図６中に示すように、ＳＩＭ測定グループ毎にＳＩＭ測定を行う質量電荷比が設定されるため、１つのＳＩＭ測定グループに属する成分数が多いと、それだけ測定対象の質量電荷比も多くなる。仮に１つの成分に対して１つの質量電荷比しか測定しないとしても、ＳＩＭ測定グループ［１］の測定時間範囲では１つの質量電荷比だけ測定すれば済むのに対し、ＳＩＭ測定グループ［５］の測定時間範囲では５つの質量電荷比を測定しなければならない。１つの成分当たりに測定すべき質量電荷比の数が多い場合にはさらに多くの質量電荷比の測定を行う必要が生じる。このように１つのＳＩＭ測定グループに割り当てられる成分の数が多いと、決まった測定インターバルに対してＳＩＭ測定を実行すべき質量電荷比の数も多くなり、ＳＩＭ測定における１つの質量電荷比当たりの測定時間が短くなり感度が低下してしまうことになる。
【先行技術文献】
【特許文献】
【００１０】
【特許文献１】特表２００４−５１３３６７号公報
【特許文献２】特表２００７−５３８２４９号公報
【特許文献３】特開２００３−１７２７２６号公報
【非特許文献】
【００１１】
【非特許文献１】神田広興、「包括的２次元ＧＣ（ＧＣ×ＧＣ）の原理とＰＯＰｓ分析への応用」、日本分析化学会、第２６０回ガスクロマトグラフィー研究懇談会特別講演会資料、２００３年１２月５日発行、ｐ．３９−５１
【非特許文献２】「GC Image  GCxGC Software」、[online]、米国ゾエックス（Zoex）社、［平成２１年１２月２日検索］、インターネット＜URL : http://www.gcimage.com/gcxgc/index.html＞
【発明の概要】
【発明が解決しようとする課題】
【００１２】
本発明は上記課題に鑑みて成されたものであり、包括的二次元ガスクロマトグラフ（又は包括的二次元液体クロマトグラフ）と質量分析装置とを組み合わせたクロマトグラフ質量分析装置において、目的試料に対してスキャン測定等を用いた包括的二次元クロマトグラフ質量分析で予め得られた分析結果に基づいてＳＩＭ測定のための適切な測定条件を自動的に決定することができるとともに、必要に応じてオペレータがそれを容易に修正できるようにすることを目的としている。
【課題を解決するための手段】
【００１３】
上記課題を解決するためになされた本発明は、一次カラム、モジュレータ、及び二次カラムを具備する包括的二次元クロマトグラフで分離された試料を質量分析装置に導入して検出するクロマトグラフ質量分析装置であって、質量分析装置において選択イオンモニタリング（ＳＩＭ）法により特定の質量電荷比を有するイオンの検出を行うクロマトグラフ質量分析装置において、
a)測定対象の化合物毎に保持時間と質量電荷比とが対応付けて記憶された化合物情報記憶部と、
b)１つのモジュレーション期間における分離情報に基づいて、前記化合物情報記憶部に記憶されている保持時間を一次カラムの時間軸上の保持時間と二次カラムの時間軸上の保持時間とに割り当てた検出情報を作成し、分析により得られた二次元クロマトグラムに対して前記検出情報を用い所定の条件に基づいて各時間軸上でそれぞれＳＩＭ測定区間を決定する測定区間決定処理部と、
c)該測定区間決定処理部で決定された各時間軸上のＳＩＭ測定区間に基づいて、時間経過に伴うＳＩＭ測定グループの開始時間及び／又は終了時間と該グループに属する化合物に対応した測定対象の質量電荷比とを含むＳＩＭ測定条件情報を作成するＳＩＭ測定条件設定部と、
を備えることを特徴としている。
【００１４】
本発明に係るクロマトグラフ質量分析装置では、一般的に数秒程度の短い期間であるモジュレーション期間における分離情報が予め与えられているので、測定区間決定処理部は、化合物情報記憶部に記憶されている保持時間を、一次カラムの時間軸上の保持時間と二次カラムの時間軸上の保持時間とにそれぞれ割り当てることができる。なお、上記分離情報は、モジュレータの動作やカラムの分離特性（極性など）応じて決まるものである。これにより、一次カラムの時間軸上でみたときに複数の化合物のピークが重なり合っていたとしても、二次カラムの時間軸上でその複数の化合物のピークが分離されてさえいれば、該時間軸上でその複数の化合物がそれぞれ異なるＳＩＭ測定区間に属するようにＳＩＭ測定区間を決定することができる。
【００１５】
そしてＳＩＭ測定条件設定部は、上述のように二次元的な時間軸上で区画されたＳＩＭ測定区間を時間経過に伴う一次元情報に変換しＳＩＭ測定条件情報（例えばテーブル）を作成する。こうして作成されたＳＩＭ測定条件情報では二次カラムの時間軸上で分離されている成分は通常、異なるＳＩＭ測定グループに入ることになる（条件によっては同一グループに入ることもある）から、ＳＩＭ測定グループは非常に細かく設定され、１つのＳＩＭ測定グループに入る化合物の数は１乃至少数に限定される。
【発明の効果】
【００１６】
こうしたことから本発明に係るクロマトグラフ質量分析装置によれば、ＳＩＭ測定を用いた包括的二次元クロマトグラフ／質量分析の際に、１つの測定時間範囲で測定すべき質量電荷比の数が少なくて済み、１つの質量電荷比当たりの測定時間を十分に確保することができる。その結果、化合物由来のイオンの検出感度が向上し、例えば定量分析の精度を向上させることができる。また、スキャン測定を用いた包括的二次元クロマトグラフ／質量分析の結果を利用してほぼ自動的に、同じ試料に対するＳＩＭ測定を用いた包括的二次元クロマトグラフ／質量分析のためのＳＩＭ測定条件情報を作成することができる。したがって、オペレータに煩雑な作業を課すことなく、上記のような良好な分析を実行することができる。
【００１７】
本発明に係るクロマトグラフ質量分析装置は、好ましくは、分析により得られたデータから二次元等高線クロマトグラム等の二次元クロマトグラムを作成して表示部の画面上に表示する二次元クロマトグラム作成処理部を備え、該二次元クロマトグラム作成処理部は、前記測定区間決定処理部により決定されたＳＩＭ測定区間の区画を前記二次元クロマトグラム上で識別可能に表示する構成とするとよい。
【００１８】
例えば二次元等高線クロマトグラム上で、一次カラムの時間軸に直交する線と二次カラムの時間軸に直交する線とを境界線とする矩形状の領域で測定区間を明示するようにすることができる。また、各時間軸に直交する線だけでなく斜交する線を用いるようにしてもよい。これにより、オペレータはＳＩＭ測定のための測定領域を視覚的に把握し易くなる。
【００１９】
さらにまた、上記二次元クロマトグラム作成処理部により表示部に表示される二次元クロマトグラム上のＳＩＭ測定区間の区画を示す境界線の位置及び形状をオペレータが変更するための操作部をさらに備え、上記測定区間決定処理部はその操作部の操作に応じてＳＩＭ測定条件テーブルを内容を変更するようにするとよい。
【００２０】
これにより、オペレータは測定対象の化合物のピークが描出されている二次元クロマトグラム上での操作により、ＳＩＭ測定区間の開始時間や終了時間を簡便に修正することができる。したがって、例えば自動的に決められた測定区間の区分があまり的確でない場合にも、オペレータは化合物の溶出時間を確認しながら適切に測定条件を変更することができる。
【図面の簡単な説明】
【００２１】
【図１】本発明の一実施例による包括的二次元ＧＣ／ＭＳの要部の構成図。
【図２】包括的二次元ＧＣ／ＭＳにおける二次元等高線クロマトグラム作成の概念を示す図。
【図３】本実施例の包括的二次元ＧＣ／ＭＳにより描出される二次元等高線クロマトグラムの一例を示す図。
【図４】図３（ｂ）に対応したＳＩＭ測定条件テーブルの一例を示す図。
【図５】二次元等高線クロマトグラム及びその横軸を唯一の時間軸とした一次元クロマトグラムの一例を示す図。
【図６】図５に対応したＳＩＭ測定条件テーブルの一例を示す図。
【発明を実施するための形態】
【００２２】
以下、本発明の一実施例である包括的二次元ＧＣ／ＭＳについて、添付図面を参照して説明する。図１は本実施例による包括的二次元ＧＣ／ＭＳの要部の構成図である。
【００２３】
分析部１は、一次カラム１２と、一次カラム１２に試料ガスを導入する試料気化室などを含む試料導入部１１と、一次カラム１２から溶出する成分（化合物）を一定時間間隔で捕集し時間的に圧縮して送り出すモジュレータ１３と、一次カラム１２とは異なる分離特性（典型的には異なる極性）を有する高速分離可能な二次カラム１４と、二段階のカラム１２、１４で分離された各成分を検出する質量分析計１５と、を備える。質量分析計１５は質量分析器として四重極質量フィルタを用いた質量分析計であり、スキャン測定とＳＩＭ測定とが選択的に行えるようになっている。
【００２４】
分析部１に含まれる各部の動作は分析制御部２８により制御される。データ処理部２は、質量分析計１５で取得されたデータを処理したり、分析制御部２８が分析を実施する際に用いる測定条件ファイルを自動的に作成したりする機能を有する。より詳しくは、データ処理部２は、データ格納部２１、ピーク検出処理部２２、クロマトグラム作成部２３、測定条件決定部２４、化合物テーブル２６、測定条件記憶部２７などの機能ブロックを含み、測定条件決定部２４は二次元検出時間テーブル２５を有する。データ処理部２や分析制御部２８の一部はパーソナルコンピュータをハードウエアとし、そのパーソナルコンピュータに予めインストールされた専用の制御・処理ソフトウエアを実行することにより上記のような各ブロックが機能する。またデータ処理部２には、キーボードやマウス等のポインティングデバイスである操作部３や表示部４が接続されている。本実施例の包括的二次元ＧＣ／ＭＳはハードウエアとしては従来の包括的二次元ＧＣ／ＭＳと同じであり、上記制御・処理ソフトウエアが従来とは相違することで実質的に異なる構成をとるようにすることができる。
【００２５】
まず、分析部１における分析動作を概略的に説明する。分析部１において、試料導入部１１は分析制御部２８からの指示に応じて、一次カラム１２に略一定流量で送られるキャリアガス中に分析対象である試料を導入する。通常、この試料には多数の成分が含まれる。該試料に含まれる各種成分は、所定の昇温プログラムに従って温調された一次カラム１２を通過する間に分離されて時間的にずれて溶出する。この時点では全ての成分が十分に分離されるわけではなく、一次カラム１２での保持時間が近い成分は重なって（混じった状態で）溶出する。
【００２６】
モジュレータ１３は一定時間（＝モジュレーション期間ｔ：一般に数秒程度だがここでは８秒）中に一次カラム１２から溶出してくる成分を全て捕集し、時間的に圧縮して二次カラム１４に送り込む、という操作を連続的に繰り返す。したがって、一次カラム１２からの溶出成分は漏れなく二次カラム１４に送り込まれる。モジュレーション期間ｔ毎に送り込まれた複数の試料成分は二次カラム１４を通過する際に高い分解能で時間方向に分離されて溶出し、溶出した順に質量分析計１５に導入される。質量分析計１５がスキャン測定を実行する場合には、所定の質量範囲のスキャン測定が繰り返されるから、スキャン測定のインターバル毎に所定質量範囲のマススペクトルデータが得られる。二次カラム１４から各成分が溶出している時間幅は狭いが、この時間幅よりも短いインターバルでスキャン測定を行うことにより全ての溶出成分を漏れなく検出することができる。こうして質量分析計１５で取得されたデータはデータ格納部２１に保存される。
【００２７】
データ処理部２においてクロマトグラム作成部２３は、上記のように収集されたマススペクトルデータに対し、質量電荷比に依らない全てのイオンの強度信号をマススペクトルが得られる毎に合算し、それを時間経過に従って並べることでトータルイオンクロマトグラム（ＴＩＣ）データを求める。そして、このＴＩＣデータをモジュレーション期間ｔ毎に区切り、図２に示すように、モジュレーション期間ｔ内のデータを縦軸方向に順に並べ、横軸方向にモジュレーション期間ｔの発生順を並べるようにし、強度を等高線（又は色の相違）で表すことにより例えば図３（ａ）に示すような二次元等高線クロマトグラムを作成する。この二次元等高線クロマトグラムは表示部４の画面上に表示される。
【００２８】
上記試料に含まれる特定の成分の定量を行うためにＳＩＭ測定条件を決定したい場合、測定条件決定部２４は化合物テーブル２６から測定対象の成分（化合物）の保持時間や測定質量電荷比（m/z）の情報を選択的に読み込む。測定条件決定部２４には、各種成分の保持時間を一次カラム１２による試料導入時点を基準とした全成分に亘る広い時間範囲で低い時間分解能の時間軸と二次カラム１４によるモジュレーション期間ｔ内に限定された狭い時間範囲で高い時間分解能の時間軸とに割り当てるための検出情報が予め与えられている。この情報は各カラム１２、１４の分離特性やモジュレータ１３の制御動作（例えばモジュレーション期間ｔなど）に応じて決まるものであり、例えばカラムの長さ、内径、液相の膜厚などの物理的なパラメータが変更された場合は当然のことながら、昇温条件やキャリアガスの流量（又は線速度）などの制御パラメータが変更された場合に、上記検出情報も変更される必要がある。
【００２９】
測定条件決定部２４は、読み込んだ測定対象成分毎にその保持時間を、上記検出情報を参照して一次カラムの時間軸と二次カラムの時間軸とに割り当てる。これにより、化合物テーブル２６中での或る成分の保持時間が例えばＴａであったものが、二次元検出時間テーブル２５では、当該成分の一次カラム保持時間：Ｔａ１、二次カラム保持時間：Ｔａ２（Ｔａ２は０〜８秒）と変換される。また、化合物テーブル２６中で当該成分に対応付けられていた質量電荷比が、それぞれの保持時間Ｔａ１、Ｔａ２に対応付けられる。こうした測定対象成分毎に一次カラム保持時間、二次カラム保持時間、及び質量電荷比を格納したテーブルを作成し、二次元検出時間テーブル２５に保存する。
【００３０】
ピーク検出処理部２２は二次元等高線クロマトグラムを構成するデータを読み込み、該クロマトグラム上に現れているピークを検出し、ピーク毎に一次カラムの時間軸と二次カラムの時間軸のそれぞれにおけるピーク開始点、ピーク終了点等の時間位置に関する情報を、クロマトグラムデータとともに測定条件決定部２４に送る。測定条件決定部２４は二次元検出時間テーブル２５を参照して、クロマトグラム上の各ピークの成分を特定するとともに、時間軸毎に隣接するピークの時間間隔に基づいてＳＩＭ測定区間の境界線を定める。例えば一次カラムの時間軸と二次カラムの時間軸のそれぞれについて予めピークの時間間隔が所定時間以上であるときに境界を設定するとの分離条件を定めておき、それに従ってＳＩＭ測定区間の境界を設定することができる。これにより、一次カラムの時間軸方向からみたときに（つまりは図５（ｂ）の状態のクロマトグラム）であるときにピークが重なっていて分離できない成分であっても、二次カラム１４で十分に分離可能な成分であれば、それら成分の間に境界を設定し、異なるＳＩＭ測定区間に属するようにすることができる。
【００３１】
上記のように決められた時間軸毎のＳＩＭ測定区間の境界線の位置を示す情報はクロマトグラム作成部２３に与えられ、クロマトグラム作成部２３は表示部４に表示する二次元等高線クロマトグラムにおいて、図３（ｂ）に示すように、各ＳＩＭ測定区間を矩形状の領域で示す。図３（ｂ）では各領域を異なる塗りつぶしパターン（例えば斜線パターン、横線パターンなど）で示しているが、実際には異なる表示色を用いて区別するようにすることができる。図３（ｂ）と図５（ａ）とを比較すれば、従来は同じ測定区画にグループ化されていた３つの成分Ｄ、Ｅ、Ｆが、本実施例においては成分Ｄ、Ｆと成分Ｅとが別の測定区画に属するようにグループ化されることが分かる。また、従来は同じ測定区画にグループ化されていた５つの成分Ｈ、Ｉ、Ｊ、Ｋ、Ｌが、本実施例においては成分Ｈ、Ｊ、Ｌが属する測定区間と成分Ｉのみが属する測定区間と成分Ｋのみが属する測定区間の３つにグループ化されることが分かる。
【００３２】
さらに測定条件決定部２４は、上記のように二次元的な領域で示されるＳＩＭ測定区間を、図２に示したような時間順序に従った、即ち一ｓ次元的な時間軸上の測定区間に分解する。そして、各測定区間の後方の境界の時間位置に基づき測定終了時間を確定するとともに、その測定区間に属する成分を確定し、図４に示すようなテーブルを作成する。前述のように、一次カラム１２では分離されない成分が二次カラム１４では分離されて鋭い、つまりは時間幅の狭いピークとして現れることから、図４に示すように、同一成分が属する測定区間がモジュレーション期間ｔにほぼ一致する短い間隔で繰り返し出現する。各成分にはそれぞれ少なくとも１つの測定質量電荷比が定められているから、各測定区間に属する成分に対応した質量電荷比を求めて、これを図４のテーブルに加えることにより、ＳＩＭ測定条件テーブルが完成する。このテーブルから測定条件ファイルが作成されて測定条件記憶部２７に保存される。
【００３３】
上述したようにクロマトグラムデータ及びピーク検出結果に基づいてＳＩＭ測定区間の境界の設定は自動的に行われるが、含有成分の数が非常に多い場合や類似した成分が多い場合などでは、測定区間の境界が適切に設定されないことがある。そこで、本装置では、表示部４の画面上に図３（ｂ）に示すような二次元等高線クロマトグラムが表示された状態で、オペレータがグラフィカルに測定区間の変更・修正を行えるようにしている。即ち、二次元等高線クロマトグラム上に表示された矩形状の領域の境界は操作部３による簡単な操作（例えばクリック操作による任意の境界線の能動化及びドラッグアンドドロップによる移動）により移動が可能であり、オペレータがそうした移動操作を行った上でその操作を確定させると、測定条件決定部２４はＳＩＭ測定区間の境界、つまりは測定終了時間を自動的に変更する。また、任意の位置に新たに境界線を追加することで測定区間の数を増やしたり、逆に適切でない境界線を削除することで測定区間の数を減らしたりすることも可能である。
【００３４】
但し、測定区間の数を減らした場合には１つの測定区間に属する成分の数が増えるため、例えば測定区間に属する成分の数（又は測定質量電荷比の数）が規定値以上になる場合には、オペレータに対して警告表示を行うようにするとよい。また、境界線を移動させたり追加したりした場合には、測定区間の時間が異常に短くなるおそれがあるから、測定区間の時間が規定値以下になるような変更は禁止するようにするとよい。
【００３５】
以上のようにして測定条件記憶部２７にＳＩＭ測定のための測定条件ファイルが保存された状態でＳＩＭ測定の実行が指示されると、分析制御部２８は測定条件ファイルを読み込んで、そのファイルで規定される測定条件に従って分析部１の各部を制御することにより、ＳＩＭ測定を伴う包括的二次元ＧＣ／ＭＳ分析を実施する。即ち、包括的二次元ＧＣの分離動作自体は上記のスキャン測定時と同じように制御しつつ、図４中のテーブルに示した測定終了時間毎にＳＩＭ測定対象の質量電荷比を切り替えるように質量分析計１５の動作を制御する。これにより、該当する成分に対応した質量電荷比における信号強度のみが得られ、含有量の少ない成分についても高い感度で検出が可能である。
【００３６】
なお、上記実施例では、二次元等高線クロマトグラム上で測定区間の区分けを示す境界線を両時間軸に直交するように設定していたが、必ずしも直交した線である必要はなく、斜めに境界線を設定できるようにしてもよい。また、二次元等高線クロマトグラムでなくても、少なくとも、一次カラムの時間軸と二次カラムの時間軸とを二軸とする二次元クロマトグラムであればよい。
【００３７】
また、上記実施例は本発明の一例にすぎず、本発明の趣旨に沿った範囲で適宜変形や修正、追加を行っても本願特許請求の範囲に包含されることは明らかである。
【符号の説明】
【００３８】
１…分析部
１１…試料導入部
１２…一次カラム
１３…モジュレータ
１４…二次カラム
１５…質量分析計
２…データ処理部
２１…データ格納部
２２…ピーク検出処理部
２３…クロマトグラム作成部
２４…測定条件決定部
２５…二次元検出時間テーブル
２６…化合物テーブル
２７…測定条件記憶部
２８…分析制御部
３…操作部
４…表示部
【図１】
2011122822.tif 000003
【図２】
2011122822.tif 000004
【図３】
2011122822.tif 000005
【図４】
2011122822.tif 000006
【図５】
2011122822.tif 000007
【図６】
2011122822.tif 000008